(57)【要約】      （修正有）【課題】吸収体の外縁よりも外側に延出する表面シートの延出部において体液拡散を抑制できる吸収性物品を提供する。【解決手段】吸収性物品１は、互いに直交する長手方向Ｌ、幅方向Ｗ、及び厚み方向と、吸収体１０と、吸収体よりも肌面側に配置されている表面シート２０と、を有する。表面シートは、吸収体の外縁よりも外側に延出する延出部２２を有する。延出部は、拡散抑制部２５を有する。表面シートは、織物又は編物である。【選択図】図１
2019115597.tif 000002
【特許請求の範囲】
【請求項１】
互いに直交する長手方向、幅方向、及び厚み方向と、
吸収体と、
前記吸収体よりも肌面側に配置されている表面シートと、を有する吸収性物品であって、
前記表面シートは、前記吸収体の外縁よりも外側に延出する延出部を有し、
前記延出部は、拡散抑制部を有し、
前記表面シートは、織物又は編物である、吸収性物品。
【請求項２】
前記延出部は、間隔を空けて配置された複数の拡散抑制部が存在する拡散抑制領域を有し、
前記間隔は、３ｍｍ以下である、請求項１に記載の吸収性物品。
【請求項３】
前記複数の拡散抑制部は、配列方向に間隔を空けて配置された複数の第１拡散抑制部と、前記配列方向と直交する直交方向にずれた位置に配置された第２拡散抑制部と、を有し、
前記直交方向に沿った視点において、前記第２拡散抑制部は、前記複数の第１拡散抑制部の間に配置されている、請求項２に記載の吸収性物品。
【請求項４】
前記複数の第１拡散抑制部と前記第２拡散抑制部との前記直交方向における距離が３ｍｍ以下である、請求項３に記載の吸収性物品。
【請求項５】
前記拡散抑制領域は、前記幅方向に連続的に延びている、請求項２から４のいずれか１項に記載の吸収性物品。
【請求項６】
前記拡散抑制領域は、前記厚み方向における平面視において、前記表面シートの外縁に沿って連続的に延びる、請求項２から４のいずれか１項に記載の吸収性物品。
【請求項７】
前記拡散抑制部は、前記表面シートが前記厚み方向に圧縮された圧搾部によって少なくとも構成されている、請求項１から６のいずれか１項に記載の吸収性物品。
【請求項８】
前記拡散抑制部は、前記表面シートを前記厚み方向に貫通する開口部によって少なくとも構成されている、請求項１から７のいずれか１項に記載の吸収性物品。
【請求項９】
前記織物又は前記編物を構成する糸は、非融着繊維によって構成されている、請求項１から８のいずれか１項に記載の吸収性物品。
【請求項１０】
前記表面シートは、伸縮性を有する前記織物又は前記編物である、請求項１から９のいずれか１項に記載の吸収性物品。
【請求項１１】
前記吸収性物品は、前記延出部と接し、かつ液不透過性のフィルムである裏面シートを有し、
前記拡散抑制部は、前記表面シートと前記裏面シートとが前記厚み方向に圧縮された圧搾部によって少なくとも構成され、
前記圧搾部において、前記織物又は前記編物を構成する糸の繊維間に前記裏面シートの一部が入り込んでいる、請求項１から１０のいずれか１項に記載の吸収性物品。
【請求項１２】
前記吸収性物品は、前記延出部と接し、かつ液不透過性のフィルムである裏面シートを有し、
前記拡散抑制部は、前記表面シートを前記厚み方向に貫通する開口部によって少なくとも構成され、
前記裏面シートの一部が、前記開口部に入り込んでいる、請求項１から１１のいずれか１項に記載の吸収性物品。
【発明の詳細な説明】
【技術分野】
【０００１】
本発明は、生理用ナプキン等の吸収性物品に関する。
【背景技術】
【０００２】
特許文献１には、吸収体と、吸収体よりも肌面側に配置され、かつ不織布によって構成されている表面シートと、を備える吸収性物品が開示されている。不織布は、液透過性を有するため、着用者の体液が表面シートを通過して、吸収体に吸収される。
【先行技術文献】
【特許文献】
【０００３】
【特許文献１】特開２０１３−８５８３１号公報
【発明の概要】
【０００４】
吸収体が外部へ出ないように、吸収体の外縁よりも外側に延出する表面シートの延出部と裏面シートの延出部とをエンボス加工により熱融着させることによって、シール部が形成されている。シール部は、エンボス加工により厚み方向に圧縮されているので、シール部の周辺よりも密度が大きい。このため、毛細管現象により密度が低いところから高いところへ向けて体液が拡散する。表面シートの延出部は、吸収体と重なっていないため、当該延出部では、体液が吸収体に吸収され難い。そのため、表面シートの延出部で拡散した体液が肌に触れ易く、着用者が不快に感じるおそれがある。
【０００５】
そこで、吸収体の外縁よりも外側に延出する表面シートの延出部において体液拡散を抑制できる吸収性物品が望まれる。
【課題を解決するための手段】
【０００６】
一態様に係る吸収性物品は、互いに直交する長手方向、幅方向、及び厚み方向と、吸収体と、前記吸収体よりも肌面側に配置されている表面シートと、を有する吸収性物品であって、前記表面シートは、前記吸収体の外縁よりも外側に延出する延出部を有し、前記延出部は、拡散抑制部を有し、前記表面シートは、織物又は編物である。
【図面の簡単な説明】
【０００７】
【図１】図１は、肌面側から見た実施形態に係る吸収性物品の平面図である。
【図２】図２は、図１に示すＡ−Ａ線に沿った断面図である。
【図３】図３は、第１実施形態に係る拡散抑制部を説明するための模式図（断面図）である。
【図４】図４は、第１実施形態に係る拡散抑制部を説明するための模式図（平面図）である。
【図５】図５は、第２実施形態に係る拡散抑制部を説明するための模式図（断面図）である。
【発明を実施するための形態】
【０００８】
（１）実施形態の概要
本明細書及び添付図面の記載により、少なくとも以下の事項が明らかとなる。
【０００９】
一態様に係る吸収性物品は、互いに直交する長手方向、幅方向、及び厚み方向と、吸収体と、前記吸収体よりも肌面側に配置されている表面シートと、を有する吸収性物品であって、前記表面シートは、前記吸収体の外縁よりも外側に延出する延出部を有し、前記延出部は、拡散抑制部を有し、前記表面シートは、織物又は編物である。
【００１０】
拡散抑制部を形成するために表面シートの延出部を加工する際に、延出部の加工箇所（拡散抑制部）に力が加えられる。これにより、加工箇所及びその周辺の密度が高くなる。本願の吸収性物品では、表面シートが織物又は編物であるため、表面シートが糸で構成されている。加工箇所及びその周辺の糸と、それ以外の表面シートの加工されていない未加工部分（例えば、吸収体の肌面側に配置される部分）の糸とは、連続的に繋がっている。このため、延出部を加工する際の力により、加工箇所及びその周辺の糸が加工箇所に一時的に引っ張られたとしても、加工箇所及びその周辺の糸が未加工部分から引っ張り戻される。従って、加工箇所及びその周辺において、加工時に糸を構成する繊維が集中しても、加工後には繊維の集中が緩和される。一方、表面シートが不織布である場合には、不織布を構成する繊維の配列方向が不均一であるため、加工箇所及びその周辺の繊維と、未加工部分の繊維とが繋がっているとは限らない。さらに、加工により力が加えられることで、加工箇所及びその周辺の繊維どうしが強く絡み合うため、加工箇所及びその周辺の繊維が未加工部分から引っ張り戻されにくい。従って、加工箇所及びその周辺において、加工後も繊維が集中したままである。
【００１１】
以上のように、本願の吸収性物品では、加工後に、加工箇所（拡散抑制部）及びその周辺の繊維の集中が緩和されるため、不織布の表面シートと比較して、拡散抑制部及びその周辺の密度が低くなる。このため、拡散抑制部及びその周辺の密度と未加工部分の密度との差が小さくなるので、毛細管現象による密度が低いところから高いところへ向かう体液拡散（密度の差による体液拡散）を抑制できる。
【００１２】
好ましい一態様によれば、前記延出部は、間隔を空けて配置された複数の拡散抑制部が存在する拡散抑制領域を有してもよい。前記間隔は、３ｍｍ以下であってもよい。
【００１３】
拡散抑制領域には、拡散抑制部が近い間隔で配置されているため、拡散抑制領域では、複数の拡散抑制部のうちの少なくともいずれかにより体液の拡散が抑制され、体液が広範囲に拡散することを抑制できる。
【００１４】
好ましい一態様によれば、前記複数の拡散抑制部は、配列方向に間隔を空けて配置された複数の第１拡散抑制部と、前記配列方向と直交する直交方向にずれた位置に配置された第２拡散抑制部と、を有してもよい。前記直交方向に沿った視点において、前記第２拡散抑制部は、前記複数の第１拡散抑制部の間に配置されていてもよい。
【００１５】
第１拡散抑制部の間を通って拡散する体液の拡散方向（すなわち、直交方向）に、第２拡散抑制部が位置するため、体液の拡散が抑制される。
【００１６】
好ましい一態様によれば、前記複数の第１拡散抑制部と前記第２拡散抑制部との前記直交方向における距離が３ｍｍ以下であってもよい。
【００１７】
第１拡散抑制部と第２拡散抑制部との距離が近いため、第１拡散抑制部の間を通る体液の拡散をさらに抑制できる。
【００１８】
好ましい一態様によれば、前記拡散抑制領域は、前記幅方向に連続的に延びていてもよい。
【００１９】
拡散抑制領域が幅方向に連続的に延びているため、長手方向へ拡散する体液が拡散抑制部に遮られる可能性を高くすることができる。
【００２０】
好ましい一態様によれば、前記拡散抑制領域は、前記厚み方向における平面視において、前記表面シートの外縁に沿って連続的に延びてもよい。
【００２１】
表面シートの外縁にまで、体液が拡散することを抑制できる。
【００２２】
好ましい一態様によれば、前記拡散抑制部は、前記表面シートが前記厚み方向に圧縮された圧搾部によって少なくとも構成されていてもよい。
【００２３】
圧搾部を形成するための延出部を加工する際の力により、圧搾部及びその周辺の糸が加工箇所に一時的に引っ張られたとしても、圧搾部及びその周辺の糸が未加工部分から引っ張り戻される。従って、圧搾部及びその周辺において、加工時に糸を構成する繊維が集中しても、加工後には繊維の集中が緩和される。これにより、不織布の表面シートと比較して、圧搾部及びその周辺の密度が低くなるため、圧搾部及びその周辺の密度と未加工部分の密度との差が小さくなり、密度の差による体液拡散を抑制できる。
【００２４】
好ましい一態様によれば、前記拡散抑制部は、前記表面シートを前記厚み方向に貫通する開口部によって少なくとも構成されていてもよい。
【００２５】
開口部を形成するための延出部を加工する際の力により、開口部の周辺の糸が加工箇所に一時的に引っ張られたとしても、開口部の周辺の糸が未加工部分から引っ張り戻される。従って、開口部の周辺において、加工時に糸を構成する繊維が集中しても、加工後には繊維の集中が緩和される。これにより、不織布の表面シートと比較して、開口部の周辺の密度が低くなるため、開口部の周辺の密度と未加工部分の密度との差が小さくなり、密度の差による体液拡散を抑制できる。
【００２６】
好ましい一態様によれば、前記織物又は前記編物を構成する糸は、非融着繊維によって構成されていてもよい。
【００２７】
糸は非融着繊維であるため、吸収性物品の製造時に熱加工があったとしても、表面シートにおいて、密度が高い融着部分の発生を抑制できる。その結果、密度の差による体液の拡散を抑制できる。
【００２８】
好ましい一態様によれば、前記表面シートは、伸縮性を有する前記織物又は前記編物であってもよい。
【００２９】
拡散抑制部が圧搾部により構成されている場合には、織物又は編物である表面シートの伸縮によって、圧搾部及びその周辺の糸が未加工部分から引っ張り戻される力がさらに大きくなるため、圧搾部及びその周辺において糸を構成する繊維が集中することをさらに緩和できる。その結果、圧搾部及びその周辺の密度と未加工部分の密度との差をさらに小さくできるので、密度の差による体液の拡散をさらに抑制できる。また、拡散抑制部が開口部により構成されている場合には、表面シートの伸縮により、開口部の周辺の糸が未加工部分から引っ張り戻される力がさらに大きくなるため、開口部が広がる。その結果、糸を構成する繊維の接触をさらに抑制できるため、繊維を伝うことによる体液拡散を抑制できる。
【００３０】
好ましい一態様によれば、前記吸収性物品は、前記延出部と接し、かつ液不透過性のフィルムである裏面シートを有してもよい。前記拡散抑制部は、前記表面シートと前記裏面シートとが前記厚み方向に圧縮された圧搾部によって少なくとも構成されてもよい。前記圧搾部において、前記織物又は前記編物を構成する糸の繊維間に前記裏面シートの一部が入り込んでいてもよい。
【００３１】
液不透過性シートである裏面シートの一部が、圧搾部における糸を構成する繊維間に入り込んでいるため、繊維間に入り込んでいる裏面シートの一部によって体液の拡散が遮られ、体液の拡散が抑制される。
【００３２】
好ましい一態様によれば、前記吸収性物品は、前記延出部と接し、かつ液不透過性のフィルムである裏面シートを有してもよい。前記拡散抑制部は、前記表面シートを前記厚み方向に貫通する開口部によって少なくとも構成されてもよい。前記裏面シートの一部が、前記開口部に入り込んでいてもよい。
【００３３】
液不透過性のフィルムである裏面シートの一部が開口部に入り込んでいるため、開口部に入り込んでいる裏面シートの一部によって体液の拡散が遮られ、体液の拡散が抑制される。
【００３４】
（２）吸収性物品の概略構成
以下、図面を参照して、なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３５】
図１は、肌面側から見た実施形態に係る吸収性物品の平面図である。図２は、図１に示すＡ−Ａ線に沿った断面図である。
【００３６】
吸収性物品１は、互いに直行する長手方向Ｌ、幅方向Ｗ、及び厚み方向Ｔを有する。「肌面側」は、使用中に着用者の肌に面する側に相当する。「非肌面側」は、使用中に着用者の肌とは反対に向けられる側に相当する。
【００３７】
吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。後側域Ｓ３は、股下域Ｓ１よりも後方に位置する。
【００３８】
吸収性物品１は、吸収体１０、表面シート２０、裏面シート３０、サイドシート４０を有する。
【００３９】
吸収体１０は、吸収材料を含む部材である。吸収体１０は、特に限定されないが、パルプのような親水性繊維層、及び高吸収性ポリマー（ＳＡＰ）、又はこれらの組合せを含んでいてよい。
【００４０】
表面シート２０は、吸収体１０の肌面側に配置されている。表面シート２０は、織物又は編物である。表面シート２０は、伸縮性を有する織物又は編物であってもよい。
【００４１】
織物及び編物は、多数の繊維を束ねて撚られた糸から作られる。織物は、糸を織ることにより構成される。例えば、表面シート２０は、平織り、綾織り、繻子織（朱子織）のいずれかで織られた織物であってもよい。編物は、糸を編むことにより構成される。例えば、表面シート２０は、天竺、トリコット、フライス、鹿の子、ハニカムメッシュ、ダンボールニット、裏毛のいずれかにより編まれた編物であってもよい。織物及び編物を構成する繊維の配列は、糸長方向に沿って配列されている。織物又は編物を構成する糸は、非融着繊維によって構成されてもよい。非融着繊維は、例えば、コットン、レーヨン、セルロース、シルクなどである。
【００４２】
なお、不織布は、１本ごとに独立に分散された繊維が、接着剤や熱による接着、或いは機械的な絡合によって形成された３次元の繊維集合体である。不織布を構成する繊維の配列はランダムである。
【００４３】
表面シート２０は、吸収体１０の外縁よりも外側に延出する延出部２２を有する。延出部２２は、拡散抑制部２５を有する。拡散抑制部２５は、例えば、厚み方向Ｔに力が加えられる加工によって形成されてもよい。拡散抑制部２５は、例えば、延出部２２が加工されていない未加工部分と比較して、厚み方向Ｔにおける長さが小さくてもよい。従って、表面シート２０（延出部２２）の拡散抑制部２５の厚み方向Ｔにおける長さは、表面シート２０の未加工部分の厚み方向Ｔにおける長さよりも小さい。拡散抑制部２５の詳細は後述する。延出部２２は、間隔を空けて配置された複数の拡散抑制部２５が存在する拡散抑制領域Ｒを有してもよい。
【００４４】
裏面シート３０は、吸収体１０の非肌面側に配置されている。裏面シート３０は、液不透過性のフィルムである。裏面シート３０は、延出部２２と接する。具体的には、裏面シート３０は、吸収体１０の外縁よりも外側に延出する部分が延出部２２に接する。
【００４５】
サイドシート４０は、幅方向Ｗの外側に配置される。サイドシート４０は、表面シート２０の外側縁（幅方向Ｗの外端）を覆う。サイドシート４０を乗り越えて吸収性物品１の外方へ経血が流れることを防止するためには、サイドシート４０は、疎水性又は撥水性を有することが好ましい。
【００４６】
（３）拡散抑制部２５
図３は、拡散抑制部２５を説明するための模式図（断面図）である。具体的には、長手方向Ｌ及び厚み方向Ｔにおける拡散抑制部２５の断面図である。図４は、拡散抑制部２５を説明するための模式図（平面図）である。肌面側（厚み方向Ｔ）から見た拡散抑制部２５の平面図である。
【００４７】
図３に示すように、本実施形態において、拡散抑制部２５は、表面シート２０が厚み方向Ｔに圧縮された圧搾部２５Ａによって構成される。圧搾部２５Ａは、例えば、円形状のピンを用いたエンボス加工により、表面シート２０が厚み方向Ｔに圧縮されることにより形成されてもよい。圧搾部２５Ａ（拡散抑制部２５）は、肌面側から見た平面視において、円状であってもよい。
【００４８】
織物又は編物である表面シート２０は、糸で構成されているので、圧搾部２５Ａ及びその周辺である周辺部２５１の糸と、それ以外の表面シートの加工されていない未加工部２５２の糸とは、連続的に繋がっている。このため、圧搾部２５Ａを形成するための延出部２２を加工する際の力により、圧搾部２５Ａ及び周辺部２５１の糸が加工箇所に一時的に引っ張られたとしても、圧搾部２５Ａ及び周辺部２５１の糸が未加工部２５２から引っ張り戻される。従って、圧搾部２５Ａ及び周辺部２５１において、加工時に糸を構成する繊維が集中しても、加工後には繊維の集中が緩和される。これにより、不織布の表面シートと比較して、圧搾部２５Ａ及び周辺部２５１の密度が低くなる。特に、周辺部２５１の密度は、未加工部２５２の密度とあまり変わらなくなる。圧搾部２５Ａ及び周辺部２５１の密度と未加工部２５２の密度との差が小さくなるので、密度の差による体液拡散（矢印Ｍ方向への拡散）を抑制できる。
【００４９】
また、圧搾部２５Ａの密度は、未加工部２５２の密度よりも大きい。密度の大きい圧搾部２５Ａから密度の小さい未加工部２５２へ拡散する速度（矢印Ｐ方向へ拡散する速度）は、未加工部２５２の中で拡散する速度（矢印Ｑ方向へ拡散する速度）よりも遅いため、延出部２２が拡散抑制部２５として圧搾部２５Ａを有することにより、延出部２２における体液拡散を抑制できる。
【００５０】
図１及び図４に示すように、拡散抑制領域Ｒには、間隔ａ１を開けて配置された複数の拡散抑制部２５（拡散抑制部２５Ａ１）が存在する。間隔ａ１は、３ｍｍ以下である。拡散抑制領域Ｒには、拡散抑制部２５が近い間隔ａ１で配置されているため、拡散抑制領域Ｒでは、複数の拡散抑制部２５のうちの少なくともいずれかの拡散抑制部２５により体液の拡散が抑制される。その結果、体液が広範囲に拡散することを抑制できる。
【００５１】
また、複数の拡散抑制部２５は、配列方向に間隔ａ１を空けて配置された複数の第１拡散抑制部２５Ａ１と、配列方向と直交する直交方向にずれた位置に配置された第２拡散抑制部２５Ａ２と、を有する。直交方向に沿った視点において、第２拡散抑制部２５Ａ２は、複数の第１拡散抑制部２５Ａ１の間に配置されている。これにより、第１拡散抑制部２５Ａ１の間を通って拡散する体液の拡散方向（すなわち、直交方向）に、第２拡散抑制部２５Ａ２が位置するため、体液の拡散が抑制される。
【００５２】
第１拡散抑制部２５Ａ１と第２拡散抑制部２５Ａ２との直交方向における距離ａ２が３ｍｍ未満であってもよい。これにより、第１拡散抑制部２５Ａ１と第２拡散抑制部２５Ａ２との距離ａ２が近いため、第１拡散抑制部２５Ａ１の間を通る体液の拡散をさらに抑制できる。
【００５３】
拡散抑制領域Ｒは、幅方向Ｗに連続的に延びていてもよい。これにより、長手方向Ｌへ拡散する体液が拡散抑制部２５に遮られる可能性を高くすることができる。
【００５４】
拡散抑制領域Ｒは、平面視において、表面シート２０の外縁に沿って連続的に延びてもよい。表面シート２０の外縁にまで、体液が拡散することを抑制できる。
【００５５】
拡散抑制部２５は、表面シート２０と裏面シート３０とが厚み方向Ｔに圧縮された圧搾部２５Ａによって少なくとも構成されてもよい。その場合において、圧搾部２５Ａにおいて、織物又は編物を構成する糸の繊維間に裏面シート３０の一部が入り込んでいてもよい。例えば、表面シート２０と裏面シート３０とを一緒にエンボス加工することにより、裏面シート３０の一部が溶融することで、表面シート２０の糸の繊維間に裏面シート３０の一部が入り込んでいてもよい。これにより、繊維間に入り込んでいる裏面シート３０の一部によって体液の拡散が遮られ、体液の拡散が抑制される。
【００５６】
なお、表面シート２０を構成する糸が非融着繊維である場合、吸収性物品の製造時に熱加工があったとしても、表面シート２０において、密度が高い融着部分の発生を抑制できる。その結果、密度の差による体液の拡散を抑制できる。
【００５７】
また、表面シート２０が伸縮性を有する織物又は編物である場合、織物又は編物である表面シート２０の伸縮によって、圧搾部２５Ａ及び周辺部２５１の糸が未加工部２５２から引っ張り戻される力がさらに大きくなるため、圧搾部２５Ａ及び周辺部２５１において糸を構成する繊維が集中することをさらに緩和できる。その結果、圧搾部２５Ａ及び周辺部２５１の密度と未加工部２５２の密度との差をさらに小さくできるので、密度の差による体液の拡散をさらに抑制できる。
【００５８】
（４）第２実施形態
第２実施形態に係る吸収性物品１について説明する。図５は、第２実施形態に係る吸収性物品１を説明するための拡散抑制部２５の模式図である。
【００５９】
拡散抑制部２５は、表面シート２０を厚み方向Ｔに貫通する開口部２５Ｂによって少なくとも構成されている。開口部２５Ｂは、例えば、エンボス加工により、表面シート２０が厚み方向Ｔに圧縮されることにより形成されてもよい。開口部２５Ｂは、例えば、カッターなどの刃物による加工により、形成されてもよい。
【００６０】
織物又は編物である表面シート２０は、糸で構成されているので、開口部２５Ｂの周辺である周辺部２５１の糸と、それ以外の表面シートの加工されていない未加工部２５２の糸とは、連続的に繋がっている。このため、開口部２５Ｂを形成するための延出部２２を加工する際の力により、周辺部２５１の糸が加工箇所に一時的に引っ張られたとしても、周辺部２５１の糸が未加工部２５２から引っ張り戻される。従って、周辺部２５１において、加工時に糸を構成する繊維が集中しても、加工後には繊維の集中が緩和される。周辺部２５１の密度は、未加工部２５２の密度とあまり変わらなくなる。これにより、不織布の表面シートと比較して、周辺部２５１の密度が低くなるため、周辺部２５１の密度と未加工部２５２の密度との差が小さくなり、密度の差による体液拡散を抑制できる。
【００６１】
また、開口部２５Ｂを形成するための延出部２２の加工により織物又は編物を構成する糸の繊維が切断されている。その結果、体液が糸の繊維を伝うことによる体液拡散（矢印Ｓ方向への拡散）を抑制することができる。このため、延出部２２における体液拡散を抑制できる。
【００６２】
開口部２５Ｂに、裏面シート３０の一部が入り込んでいてもよい。例えば、表面シート２０及び裏面シート３０に一緒に開口部２５Ｂを形成する際に、裏面シート３０の一部が切れることによって、開口部２５Ｂに裏面シート３０の一部が入り込んでもよい。これにより、開口部２５Ｂに入り込んでいる裏面シート３０の一部によって体液の拡散が遮られ、体液の拡散を抑制できる。
【００６３】
また、表面シート２０が伸縮性を有する織物又は編物である場合、表面シート２０の伸縮により、周辺部２５１の糸が未加工部２５２から引っ張り戻される力がさらに大きくなるため、開口部２５Ｂが広がる。その結果、糸を構成する繊維の接触をさらに抑制できるため、繊維を伝うことによる体液拡散を抑制できる。
【００６４】
（５）その他実施形態
上述した各実施形態において、圧搾部２５Ａ及び開口部２５Ｂは、平面視において、円状であったが、これに限らない。例えば、圧搾部２５Ａ及び開口部２５Ｂは、平面視において、所定方向に延びるスリット形状であってもよい。所定方向は、例えば、幅方向Ｗであってもよい。これにより、長手方向Ｌへ拡散する体液が拡散抑制部２５に遮られる可能性を高くすることができる。
【００６５】
上述した各実施形態において、間隔ａ１は、０．５ｍｍ以上であってもよい。また、距離ａ２は、０．５ｍｍ以上であってもよい。これにより、拡散抑制部２５間の領域において、体液を吸収できる領域を確保することができるため、体液の漏れを抑制できる。
【００６６】
本実施形態の吸収性物品は、生理用ナプキンを例に挙げて説明したが、これに限られない。本発明は、他の吸収性物品（例えば、パンティライナー、母乳パッド、大人用失禁パッド、糞便パッド又は汗取りシートなど）に適用されてもよい。本発明は、特に、吸収性物品は、使用者の下着のような着用物品の内側に取り付けられて使用される物品に適用されてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００６８】
（６）比較評価
体液拡散抑制の比較評価について説明する。具体的には、まず、各実施例及び各比較例において、表面シートと裏面シートとを厚み方向Ｔに圧縮することにより圧搾部（エンボス部）を形成した。エンボス部と非エンボス部との境界から長手方向Ｌに２０ｍｍ離れた箇所に、経血を滴下した。具体的には、経血１ｍｌを５秒間で滴下し、５秒間放置するというサイクルを４回繰り返した。３０分後に長手方向において経血が拡散した長さ（拡散長）を測定した。
【００６９】
実施例１及び２では、表面シートが天竺で編まれたものであり、目付が１００ｇｓｍである。実施例１では、拡散抑制部として圧搾部及び複数の開口部が形成されている。実施例２は、拡散抑制部として圧搾部が形成されている。
【００７０】
実施例３及び４は、表面シートがトリコットで編まれたものであり、目付が１００ｇｓｍである。実施例３では、拡散抑制部として圧搾部及び複数の開口部が形成されている。実施例４は、拡散抑制部として圧搾部が形成されている。
【００７１】
比較例１及び２では、表面シートが不織布（Ｃｏｔｔｏｎ  ＳＬ）であり、目付が１０５ｇｓｍである。比較例１では、拡散抑制部として圧搾部及び複数の開口部が形成されている。比較例２は、拡散抑制部として圧搾部が形成されている。
【００７２】
比較例３及び４では、表面シートが不織布（ＭＶＦ３０）であり、目付が９０ｇｓｍである。比較例３では、拡散抑制部として圧搾部及び複数の開口部が形成されている。比較例４は、拡散抑制部として圧搾部が形成されている。
【００７３】
なお、各実施例及び各比較例において、吸収体の目付は、３００ｇｓｍである。裏面シートの目付は、２３．５ｇｓｍである。
【００７４】
【表１】
2019115597.tif 000003
【００７５】
表１に示すように、実施例１―４に係る吸収性物品では、比較例１−４に係る吸収性物品よりも、拡散長が短いことがわかる。比較例１−４では、拡散抑制部に到達しても経血が拡散しているのに対し、実施例１−４では、拡散抑制部に到達した経血の拡散が抑制されていた。
【００７６】
また、表面シートが織物であるものを用いて、同様の条件下にて拡散長を測定したところ、実施例１−４と同様に、体液の拡散を抑制できることを確認できた。
【００７７】
以上のように、本発明に係る吸収性物品では、体液の拡散を抑制できることがわかった。
【００７８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７９】
上記態様によれば、吸収体の外縁よりも外側に延出する表面シートの延出部において体液拡散を抑制できる吸収性物品を提供できる。
【符号の説明】
【００８０】
１      ：吸収性物品
１０    ：吸収体
２０    ：表面シート
２２    ：延出部
２５Ａ  ：圧搾部
２５Ａ１：第１拡散抑制部
２５Ａ２：第２拡散抑制部
２５Ｂ  ：開口部
２５１  ：周辺部
２５２  ：未加工部
３０    ：裏面シート
４０    ：サイドシート
Ｌ      ：長手方向
Ｗ      ：幅方向
Ｔ      ：厚み方向
Ｓ１    ：股下域
Ｓ２    ：前側域
Ｓ３    ：後側域
【図１】
2019115597.tif 000004
【図２】
2019115597.tif 000005
【図３】
2019115597.tif 000006
【図４】
2019115597.tif 000007
【図５】
2019115597.tif 000008